(57)【特許請求の範囲】
【請求項１】
サーバ及び複数のカラオケ端末により構成され、サーバにアクセスして楽曲を選択し、当該楽曲の楽曲ＩＤを楽曲再生テンポ及び楽曲再生キーと共に当該サーバに対して指定し、当該サーバより当該楽曲のオーディオデータを含むカラオケ用のデータをオーディオ楽曲データとして取得し、当該オーディオ楽曲データをカラオケ端末に転送する機能を少なくとも備える個人用の複数の携帯端末と通信可能なカラオケシステムであって、
前記サーバは、
楽曲の楽曲ＩＤに紐付けられた楽曲演奏データを含む複数のカラオケ楽曲データを記憶するデータベースと、
前記携帯端末から指定された楽曲ＩＤと楽曲再生テンポと楽曲再生キーに基づいて、前記データベースから読み出したカラオケ楽曲データの楽曲演奏データをオーディオデータにレンダリングする変換手段と、
前記変換手段によりレンダリングされたオーディオデータを少なくとも含むオーディオ楽曲データを前記携帯端末に送信するオーディオ楽曲データ送信手段と、を備え、
前記カラオケ端末は、
前記携帯端末から転送された複数の楽曲のオーディオ楽曲データを一時的に記憶する記憶手段と、
前記記憶手段に記憶した楽曲のオーディオ楽曲データのオーディオデータを順次読み出して再生し、カラオケ演奏として放音させる再生手段と、
を備えるものであり、
前記サーバの変換手段は、複数の変換部を備え、
前記データベースは、複数の変換部のうち一の変換部を特定する情報を楽曲ＩＤに紐付けて記憶し、
前記サーバの変換手段は、指定された楽曲ＩＤに前記紐付けされた変換部により、当該楽曲ＩＤと楽曲再生テンポと楽曲再生キーに基づいて、前記データベースから読み出したカラオケ楽曲データの楽曲演奏データをオーディオデータにレンダリングすることを特徴とするカラオケシステム。
【請求項２】
請求項１記載のカラオケシステムであって、
前記カラオケ楽曲データには楽曲の楽曲ＩＤと紐付けた歌詞を表示するための歌詞データを含み、
前記サーバのオーディオ楽曲データ送信手段は、楽曲のオーディオデータ及び歌詞データを含むオーディオ楽曲データを前記携帯端末に送信し、
前記カラオケ端末の記憶手段は、前記携帯端末より転送された複数の楽曲におけるオーディオ楽曲データのオーディオデータ及び歌詞データを記憶し、
前記カラオケ端末はさらに、歌詞データに基づいて歌詞を表示する歌詞表示制御手段を備えることを特徴とするカラオケシステム。
【請求項３】
請求項１又は２に記載のカラオケシステムであって、
前記データベースはさらに、カラオケ演奏に合わせた歌唱を採点するためのリファレンスデータが楽曲の楽曲ＩＤと紐付けて記憶され、
前記サーバのオーディオ楽曲データ送信手段は、対応楽曲のリファレンスデータを含む前記オーディオ楽曲データを前記携帯端末に送信し、
前記カラオケ端末の記憶手段は、前記携帯端末より転送された複数の楽曲におけるオーディオ楽曲データのオーディオデータ及びリファレンスデータを記憶し、
前記カラオケ端末はさらに、リファレンスデータに基づいてカラオケ演奏に合わせた歌唱を採点する採点手段を備えることを特徴としたカラオケシステム。
【請求項４】
請求項１乃至３の少なくとも何れかに記載のカラオケシステムであって、
前記サーバはさらに、前記変換手段によりレンダリングされたオーディオデータの一部または全部を前記携帯端末に試聴としてストリーミング送信するストリーミング配信手段を備えることを特徴としたカラオケシステム。
【請求項５】
請求項１乃至４の少なくとも何れかに記載のカラオケシステムであって、
前記携帯端末は、複数の楽曲をその楽曲再生テンポ及び楽曲再生キーと共に順次指定した予約楽曲リストを作成する機能を備え、
前記カラオケ端末は、複数の利用者の携帯端末のそれぞれから前記予約楽曲リスト及びオーディオ楽曲データが転送されたときに、当該複数の予約楽曲リストを統合した統合予約楽曲リストを生成するリスト統合手段を備え、
前記カラオケ端末の記憶手段は、前記複数の利用者の携帯端末のそれぞれから転送された複数のオーディオ楽曲データを記憶すると共に前記統合予約楽曲リスト記憶し、
前記カラオケ端末の再生手段は、前記統合予約楽曲リストに基づいて複数の楽曲を順次再生してカラオケ演奏として放音させることを特徴とするカラオケシステム。
【請求項６】
所定の通信網にアクセス自在な携帯端末の端末記憶手段に備えられるもので、少なくとも複数のカラオケ楽曲データをデータベースに記憶して当該カラオケ楽曲データの楽曲演奏データをオーディオデータに変換する機能を備えるサーバ及び少なくともオーディオデータの再生可能なカラオケ端末に通信自在とする携帯端末の備えるカラオケ用プログラムであって、
前記サーバに対して前記通信網を介してアクセスするサーバアクセスプログラムと、
前記サーバにアクセスしてデータベースに記憶された楽曲の中から利用者の所望の楽曲を選択し、その楽曲ＩＤを楽曲再生テンポ及び楽曲再生キーと共に当該サーバに対して指定する楽曲選曲プログラムと、
前記サーバに対して前記楽曲選曲プログラムで指定した楽曲の前記変換されたオーディオデータを含むオーディオ楽曲データを要求して取得し、前記端末記憶手段に記憶するオーディオ楽曲データ取得プログラムと、
前記端末記憶手段からオーディオ楽曲データを読み出してカラオケ端末に転送するカラオケ端末転送プログラムと、を含み、
前記楽曲選曲プログラムで選曲した所定数の楽曲をその楽曲再生テンポ及び楽曲再生キーと共に順次指定した予約楽曲リストを作成する予約楽曲リスト作成プログラムを備え、
前記オーディオ楽曲データ取得プログラムには、前記作成した予約楽曲リストで指定された楽曲のオーディオ楽曲データが前記端末記憶手段に記憶されているか否かを照合し、少なくとも記憶されていない楽曲については、その楽曲ＩＤを楽曲再生テンポ及び楽曲再生キーと共に前記サーバに指定するプログラムを含み、
前記カラオケ端末転送プログラムには、前記オーディオ楽曲データと共に前記予約楽曲リストをカラオケ端末に転送させるプログラムを含むことを特徴とする携帯端末の備えるカラオケ用プログラム。
【請求項７】
請求項６記載の携帯端末の備えるカラオケ用プログラムであって、
前記オーディオ楽曲データ取得プログラムには、前記作成した予約楽曲リストで指定された楽曲についてオーディオ楽曲データが前記端末記憶手段に記憶されているか否かを照合し、記憶されている楽曲であっても楽曲再生テンポまたは楽曲再生キーが、記憶時の指定と今回の指定とで異なる楽曲については、その楽曲ＩＤを今回指定された楽曲再生テンポ及び楽曲再生キーと共に前記サーバに指定するプログラムを含むことを特徴とする携帯端末の備えるカラオケ用プログラム。
【請求項８】
請求項６又は７に記載の携帯端末の備えるカラオケ用プログラムであって、
前記オーディオ楽曲データには、前記オーディオデータの他に、対応楽曲それぞれの歌詞データ及びリファレンスデータの少なくとも何れかが含まれ、
前記オーディオ楽曲データ取得プログラムには、取得したオーディオ楽曲データの前記オーディオデータと共に歌詞データ及びリファレンスデータの少なくとも何れかを前記端末記憶手段に記憶するプログラムを含み、
前記カラオケ端末転送プログラムには、前記予約楽曲リスト及びオーディオ楽曲データと共に前記歌詞データ及びリファレンスデータの少なくとも何れかをカラオケ端末に転送させるプログラムを含むことを特徴とする携帯端末の備えるカラオケ用プログラム。
【発明の詳細な説明】
【技術分野】
【０００１】
本発明は、簡易構成のカラオケ端末でカラオケ楽曲を演奏させるカラオケシステム及び携帯端末に備えられるカラオケ用プログラムに関する。
【背景技術】
【０００２】
近年、業務用通信カラオケシステムでは、通信カラオケ事業者が多数のカラオケ楽曲データ（ＭＩＤＩデータ（「ＭＩＤＩ」は登録商標であり、以下記載を省略する。））を制作し、これらのカラオケ楽曲データを搭載したカラオケ端末がカラオケルームやカラオケスナック等に設置され、さらに新規に制作したカラオケ楽曲データを、配信用のサーバから定期的に各カラオケ端末に配信し蓄積させることが一般的になってきている。そして、各カラオケ端末はＭＩＤＩ音源とシーケンサ機能を備え、利用客がリクエストした楽曲のＭＩＤＩデータに基づいて楽音を生成するものであり、このようなカラオケ端末はコスト低減のための簡易構成とすることが望まれる。
【０００３】
従来、カラオケ端末の基本として、カラオケ演奏と同期した歌詞や背景映像の表示、歌唱採点などのコンテンツが付随サービスとして提供される業務用通信カラオケシステムの構成や付随サービスに関して、多くの技術が開示されている。例えば、特許文献１には、通信可能に接続されたサーバ、携帯電話、カラオケ端末（少なくともＭＩＤＩ音源等再生機およびアンプ、スピーカを有する機器）から構成されるカラオケ配信システムが開示されている。
【０００４】
上記特許文献１のカラオケ配信システムは、利用者の携帯電話が、携帯電話通信網及び電気通信ネットワークを使用してサーバからＭＩＤＩデータを受信し、当該ＭＩＤＩデータが近距離無線通信を介して当該携帯電話からカラオケ端末に送信され、カラオケ端末では受信したＭＩＤＩデータに基づいてＭＩＤＩ音源等の再生機により音声信号を生成し、スピーカよりカラオケ楽曲として放音する構成として記載されている。
【０００５】
すなわち、カラオケルーム等に設置されるカラオケ端末には、利用者が歌唱するか否かに関係なく２０万曲以上のカラオケ楽曲データが、歌詞表示用データや歌唱採点用リファレンスデータなどと共に蓄積されており、システム全体で見たときの蓄積コストや通信コストが冗長かつ膨大なものとなっている。このため、特許文献１に開示の技術を応用し、サーバにのみカラオケ楽曲データを記憶し、カラオケ演奏の度に利用者の携帯端末を経由してカラオケ端末に送信するような構成とすれば、カラオケ端末側で膨大なカラオケ楽曲データを蓄積する必要がなくなって蓄積コストや通信コストの冗長性を軽減することができる。
【先行技術文献】
【特許文献】
【０００６】
【特許文献１】特開２０１０−１８６０８１号公報
【発明の概要】
【発明が解決しようとする課題】
【０００７】
しかしながら、ＭＩＤＩデータから楽音（オーディオデータ）を生成するためのＭＩＤＩ音源及びシーケンサ機能をカラオケ端末ごとに備える必要があり、カラオケ端末の構成を複雑にすると共にコストを大幅に押し上げており、最終的にカラオケルームの利用者が支払う利用料金に反映されているという現状である。そのため、例えば、サーバはカラオケ楽曲データとしてＭＩＤＩデータを記憶するのではなく、既存の音楽配信事業者のサーバのようにＭＰ３形式などのオーディオデータを記憶し、このオーディオデータを携帯端末に送信するような構成が考えられるが、カラオケ楽曲のデータとしてオーディオデータを用いた場合、演奏情報であるＭＩＤＩデータと比較して、テンポ変更やキー変更による音質劣化が目立つという大きな欠点がある。
【０００８】
カラオケ歌唱においては、テンポ変更やキー変更はカラオケ演奏に必須の要件であると共に、利用者ごとに指定できる必要があり、ＭＩＤＩデータにおけるテンポ／キー変更は、演奏情報の段階で設定できるために処理負荷も殆どなく、生成されるオーディオデータも劣化しないが、オーディオデータにおけるテンポ／キー変更には、複雑で負荷の大きい音響処理技術が必要であり、高度な技術を用いたとしても音質の劣化は避けられないという問題がある。また、大容量のＨＤＤが低価格となっているとはいえ、オーディオデータは同じ楽曲のＭＩＤＩデータと比較して容量がはるかに大きくなるという問題もある。したがって、大量のオーディオデータをサーバに記憶することは避けるべきである。
【０００９】
一方、ＭＩＤＩデータは、使用するＭＩＤＩ音源の性能や特長が十二分に引き出されるように最適化しながら制作されるものであり、より高品位なオーディオデータが生成されるようにＭＩＤＩ音源のハードウェア、ソフトウェアを一新しようとする場合、必ず新旧ＭＩＤＩ音源の互換性が課題となる。すなわち、旧ＭＩＤＩ音源に特化して制作されたＭＩＤＩデータは、必ずしも新ＭＩＤＩ音源の性能や特長を引き出せるとは限らず、むしろ旧音源よりもずっと不自然なオーディオデータしか得られないケースが殆どであり、従来の業務用通信カラオケシステムにおいては、カラオケ端末に新旧両方のＭＩＤＩ音源を搭載するしかなく、その場合、カラオケ端末のコストがさらに増大するという問題がある。
【００１０】
そこで、本発明は上記課題に鑑みなされたもので、テンポ／キーの変更によるカラオケ演奏音の品質を低下させることなく、カラオケ端末の低コスト化を実現するカラオケシステム及び携帯端末に備えられるカラオケ用プログラムを提供することを目的とする。
【課題を解決するための手段】
【００１１】
上記課題を解決するために、請求項１の発明では、サーバ及び複数のカラオケ端末により構成され、サーバにアクセスして楽曲を選択し、当該楽曲の楽曲ＩＤを楽曲再生テンポ及び楽曲再生キーと共に当該サーバに対して指定し、当該サーバより当該楽曲のオーディオデータを含むカラオケ用のデータをオーディオ楽曲データとして取得し、当該オーディオ楽曲データをカラオケ端末に転送する機能を少なくとも備える個人用の複数の携帯端末と通信可能なカラオケシステムであって、前記サーバは、楽曲の楽曲ＩＤに紐付けられた楽曲演奏データを含む複数のカラオケ楽曲データを記憶するデータベースと、前記携帯端末から指定された楽曲ＩＤと楽曲再生テンポと楽曲再生キーに基づいて、前記データベースから読み出したカラオケ楽曲データの楽曲演奏データをオーディオデータにレンダリングする変換手段と、前記変換手段によりレンダリングされたオーディオデータを少なくとも含むオーディオ楽曲データを前記携帯端末に送信するオーディオ楽曲データ送信手段と、を備え、前記カラオケ端末は、前記携帯端末から転送された複数の楽曲のオーディオ楽曲データを一時的に記憶する記憶手段と、前記記憶手段に記憶した楽曲のオーディオ楽曲データのオーディオデータを順次読み出して再生し、カラオケ演奏として放音させる再生手段と、を備えるものであり、前記サーバの変換手段は、複数の変換部を備え、前記データベースは、複数の変換部のうち一の変換部を特定する情報を楽曲ＩＤに紐付けて記憶し、前記サーバの変換手段は、指定された楽曲ＩＤに前記紐付けされた変換部により、当該楽曲ＩＤと楽曲再生テンポと楽曲再生キーに基づいて、前記データベースから読み出したカラオケ楽曲データの楽曲演奏データをオーディオデータにレンダリングする構成とする。
【００１２】
請求項２，３の発明では、「前記カラオケ楽曲データには楽曲の楽曲ＩＤと紐付けた歌詞を表示するための歌詞データを含み、前記サーバのオーディオ楽曲データ送信手段は、楽曲のオーディオデータ及び歌詞データを含むオーディオ楽曲データを前記携帯端末に送信し、前記カラオケ端末の記憶手段は、前記携帯端末より転送された複数の楽曲におけるオーディオ楽曲データのオーディオデータ及び歌詞データを記憶し、前記カラオケ端末はさらに、歌詞データに基づいて歌詞を表示する歌詞表示制御手段を備える」構成とし、
「前記データベースはさらに、カラオケ演奏に合わせた歌唱を採点するためのリファレンスデータが楽曲の楽曲ＩＤと紐付けて記憶され、前記サーバのオーディオ楽曲データ送信手段は、対応楽曲のリファレンスデータを含む前記オーディオ楽曲データを前記携帯端末に送信し、前記カラオケ端末の記憶手段は、前記携帯端末より転送された複数の楽曲におけるオーディオ楽曲データのオーディオデータ及びリファレンスデータを記憶し、前記カラオケ端末はさらに、リファレンスデータに基づいてカラオケ演奏に合わせた歌唱を採点する採点手段を備える」構成とする。
【００１３】
請求項４の発明では、前記サーバはさらに、前記変換手段によりレンダリングされたオーディオデータの一部または全部を前記携帯端末に試聴としてストリーミング送信するストリーミング配信手段を備える構成とする。
【００１４】
請求項５の発明では、前記携帯端末は、複数の楽曲をその楽曲再生テンポ及び楽曲再生キーと共に順次指定した予約楽曲リストを作成する機能を備え、前記カラオケ端末は、複数の利用者の携帯端末のそれぞれから前記予約楽曲リスト及びオーディオ楽曲データが転送されたときに、当該複数の予約楽曲リストを統合した統合予約楽曲リストを生成するリスト統合手段を備え、前記カラオケ端末の記憶手段は、前記複数の利用者の携帯端末のそれぞれから転送された複数のオーディオ楽曲データを記憶すると共に前記統合予約楽曲リストを記憶し、前記カラオケ端末の再生手段は、前記統合予約楽曲リストに基づいて複数の楽曲を順次再生してカラオケ演奏として放音させる構成とする。
【００１６】
請求項６の発明では、所定の通信網にアクセス自在な携帯端末の端末記憶手段に備えられるもので、少なくとも複数のカラオケ楽曲データをデータベースに記憶して当該カラオケ楽曲データの楽曲演奏データをオーディオデータに変換する機能を備えるサーバ及び少なくともオーディオデータの再生可能なカラオケ端末に通信自在とする携帯端末の備えるカラオケ用プログラムであって、前記サーバに対して前記通信網を介してアクセスするサーバアクセスプログラムと、前記サーバにアクセスしてデータベースに記憶された楽曲の中から利用者の所望の楽曲を選択し、その楽曲ＩＤを楽曲再生テンポ及び楽曲再生キーと共に当該サーバに対して指定する楽曲選曲プログラムと、前記サーバに対して前記楽曲選曲プログラムで指定した楽曲の前記変換されたオーディオデータを含むオーディオ楽曲データを要求して取得し、前記端末記憶手段に記憶するオーディオ楽曲データ取得プログラムと、前記端末記憶手段からオーディオ楽曲データを読み出してカラオケ端末に転送するカラオケ端末転送プログラムと、を含み、前記楽曲選曲プログラムで選曲した所定数の楽曲をその楽曲再生テンポ及び楽曲再生キーと共に順次指定した予約楽曲リストを作成する予約楽曲リスト作成プログラムを備え、前記オーディオ楽曲データ取得プログラムには、前記作成した予約楽曲リストで指定された楽曲のオーディオ楽曲データが前記端末記憶手段に記憶されているか否かを照合し、少なくとも記憶されていない楽曲については、その楽曲ＩＤを楽曲再生テンポ及び楽曲再生キーと共に前記サーバに指定するプログラムを含み、前記カラオケ端末転送プログラムには、前記オーディオ楽曲データと共に前記予約楽曲リストをカラオケ端末に転送させるプログラムを含む構成とする。
【００１７】
請求項７の発明では、「前記オーディオ楽曲データ取得プログラムには、前記作成した予約楽曲リストで指定された楽曲についてオーディオ楽曲データが前記端末記憶手段に記憶されているか否かを照合し、記憶されている楽曲であっても楽曲再生テンポまたは楽曲再生キーが、記憶時の指定と今回の指定とで異なる楽曲については、その楽曲ＩＤを今回指定された楽曲再生テンポ及び楽曲再生キーと共に前記サーバに指定するプログラムを含む」構成とする。
【００１８】
請求項８の発明では、前記オーディオ楽曲データには、前記オーディオデータの他に、対応楽曲それぞれの歌詞データ及びリファレンスデータの少なくとも何れかが含まれ、前記オーディオ楽曲データ取得プログラムには、取得したオーディオ楽曲データの前記オーディオデータと共に歌詞データ及びリファレンスデータの少なくとも何れかを前記端末記憶手段に記憶するプログラムを含み、前記カラオケ端末転送プログラムには、前記予約楽曲リスト及びオーディオ楽曲データと共に前記歌詞データ及びリファレンスデータの少なくとも何れかをカラオケ端末に転送させるプログラムを含むことを特徴とする携帯端末の備える構成とする。
【発明の効果】
【００１９】
請求項１，６，７の発明によれば、サーバに対して携帯端末が楽曲を選択して適宜予約楽曲リストを作成させ、当該楽曲の楽曲ＩＤを楽曲再生テンポ及び楽曲再生キーと共に指定し、当該サーバより当該楽曲のオーディオデータを含むカラオケ用のデータをオーディオ楽曲データとして取得し、カラオケ端末に対して携帯端末が適宜予約楽曲リストと共にオーディオ楽曲データを転送するものであり、サーバでは、楽曲の楽曲ＩＤに紐付けられた楽曲演奏データを含む複数のカラオケ楽曲データが記憶され、携帯端末から指定された楽曲ＩＤと楽曲再生テンポと楽曲再生キーに基づき当該楽曲ＩＤの楽曲演奏データをオーディオデータにレンダリングし、レンダリングされたオーディオデータを含むオーディオ楽曲データを携帯端末に送信し、カラオケ端末では、携帯端末から転送された複数の楽曲のオーディオ楽曲データを一時的に記憶し、記憶した楽曲のオーディオデータを順次読み出して再生して放音させる構成とすることにより、カラオケ端末にカラオケ楽曲データを一斉に配信したり個別に蓄積したりせずに済み、カラオケシステム全体のカラオケ楽曲のデータ蓄積コスト及び通信コストを大幅に下げることができると共に、キー／テンポを変更してもオーディオデータのカラオケ演奏音の品質を低下させることなく、カラオケ端末におけるカラオケ用の楽曲演奏データを再生する音源等を搭載させるコストを削減させることができ、ひいては低コスト化を実現することができると共に、サーバにおいて従来から使用されている楽曲演奏データからオーディオデータにレンダリングする際に、楽曲演奏データに対応してオーディオデータの品質を低下させずにレンダリングすることができるものである。
【００２０】
請求項２，３，８の発明によれば、サーバから携帯端末に送信するオーディオ楽曲データに歌詞データやリファレンスデータを含ませ、携帯端末よりカラオケ端末に転送させる構成とすることにより、利用者に対し、従来の通信カラオケシステムと同様に、カラオケ端末において歌詞表示や歌唱採点と共にカラオケ歌唱させることができるものである。
【００２１】
請求項４の発明によれば、サーバにおいて変換手段によりレンダリングされたオーディオデータの一部または全部を携帯端末に試聴としてストリーミング送信する構成とすることにより、利用者に対して携帯端末で楽曲のオーディオデータを試聴させながら、楽曲の選択やキー／テンポの指定を行わせることができるものである。
【００２２】
請求項５の発明によれば、携帯端末に複数の楽曲をその楽曲再生テンポ及び楽曲再生キーと共に順次指定した予約楽曲リストを作成する機能を備えさせ、カラオケ端末において、複数の利用者の携帯端末のそれぞれから転送された複数の予約楽曲リストを統合した統合予約楽曲リストを作成し、当該統合予約楽曲リストに基づいて複数の楽曲を順次再生してカラオケ演奏として放音させる構成とすることにより、グループ利用者に対してそれぞれの予約楽曲リストや予約楽曲のオーディオデータ等を持ち寄ってカラオケ歌唱させることができるものである。
【図面の簡単な説明】
【００２４】
【図１】本発明のカラオケシステムに係る関係図である。
【図２】図１のサーバのブロック構成図である。
【図３】図１のカラオケ端末のブロック構成図である。
【図４】図１の携帯端末の構成図である。
【図５】携帯端末に対するサーバの楽曲提供のフローチャートである。
【図６】カラオケ端末における楽曲演奏に関するフローチャートである。
【図７】カラオケ端末における楽曲演奏に関する他の実施形態のフローチャートである。
【図８】サーバにおける楽曲提供に関する他の実施形態の一部ブロック構成図である。
【図９】図８の楽曲提供に関するフローチャートである。
【発明を実施するための形態】
【００２５】
以下、本発明の実施形態を図により説明する。ここで、本発明における用語として、楽曲演奏データ（ＭＩＤＩデータ）及び歌詞データを含むデータをカラオケ楽曲データと称し、オーディオデータ、歌詞データ及びリファレンスデータを含むデータをオーディオ楽曲データと称する。
【００２６】
図１に、本発明のカラオケシステムに係る関係図を示す。図１において、サーバ１１及び複数のカラオケ端末１２によりカラオケシステムを構成する。サーバ１１は、インターネットや電話回線網などの通信ネットワーク１３の通信網に接続され、複数の端末セル１４を介して複数の携帯端末１５と通信可能としている。なお、カラオケ端末１２は、スタンドアローンでもよく、通信ネットワーク１３に接続させるものとしてもよい。通信ネットワーク１３に接続させる場合としては、例えば会員利用者がカラオケ端末１２を利用するときにサーバ１１より会員情報を取得する。
【００２７】
ここで、図２に図１のサーバのブロック構成図を示し、図３に図１のカラオケ端末のブロック構成図を示し、図４に図１の携帯端末の構成図を示す。図２において、サーバ１１は、制御部２１、ネットワーク送受信部２２、記憶部２３、楽曲検索手段２４、楽曲演奏データ変換手段２５、ストリーミング配信手段２６、歌詞データ抽出手段２７、リファレンスデータ抽出手段２８、オーディオ楽曲データ送信手段２９及び楽曲データベース（楽曲ＤＢ）３０、リファレンスデータベース（リファレンスＤＢ）３１を備える。なお、後述の予約楽曲リスト作成アプリケーションソフトを配信する機能を備えさせてもよい。
【００２８】
上記制御部２１は、当該サーバ１１を統括的に制御する物理的なＣＰＵであり、図示しないＲＯＭに格納されているプログラムを実行処理して統括的な処理を行う。上記ネットワーク送受信部２２は、カラオケ端末１２や携帯端末１５と通信（データ授受）を行うために、通信ネットワーク１３の通信方式と整合性をとるための例えば物理的な通信用回路やプラットフォーム等のソフトウェアにより構成されるプログラム乃至電子回路である。記憶部２３は、上記種々のプログラムを展開、実行させるための作業領域としての役割をなすもので、例えば半導体メモリで構成され、仮想的にハードディスク上に構築される場合をも含む概念である。
【００２９】
順番は相前後するが、楽曲ＤＢ３０は、楽曲毎に、音符データ、歌詞データなどのカラオケ楽曲データを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の楽曲演奏データであるＭＩＤＩデータ（音符データ）等で構成される楽曲データ（ファイル）について当該楽曲ＩＤをファイル名としてそれぞれ格納したデータベースである。
【００３０】
リファレンスＤＢ３１は、上記楽曲ＤＢ３０に記憶されているカラオケ楽曲と当該カラオケ楽曲に合わせた歌唱者による歌唱を評価、分析するための評価基準として用いられるリファレンスデータとを紐付けて記憶するデータベースである。なお、楽曲ＤＢ３０とリファレンスＤＢ３１とを同一のデータベースとしてもよい。また、これらとは別に、図示しないが、会員登録した利用者の利用者ＩＤと属性情報とが関連付けられた顧客情報を格納するデータベース（利用者ＤＢ）を備えてもよい。
【００３１】
戻って、上記楽曲検索手段２４は、携帯端末１５からの要求に応じて楽曲ＤＢ３０上で楽曲を検索し、当該楽曲の楽曲ＩＤを特定して当該楽曲ＩＤを対応の携帯端末１５に送信するプログラムである。なお、楽曲を検索、選曲させるテーブルを備えて、携帯端末１５の予約楽曲リスト作成アプリケーションソフト７６の楽曲選曲プログラム８２により検索させて選曲させる機能を有することとしてもよい。
【００３２】
上記楽曲演奏データ変換手段２５は、携帯端末１５より楽曲ＩＤ及び当該楽曲のテンポ／キーの指定の信号を受信したときに、当該楽曲ＩＤに基づいて楽曲ＤＢ３０より当該楽曲のカラオケ楽曲データに含まれる楽曲演奏データ（ＭＩＤＩデータ（後述する））を読み出し、指定されたテンポ／キーに基づいて例えばＭＰ３形式のオーディオデータにレンダリングするプログラムである。
【００３３】
当該楽曲演奏データ変換手段２５としては、一例として、現在普及しているＤＡＷ（ディジタル・オーディオ・ワークステーション）ソフトウェアが適用可能である。通常のカラオケ端末においては、ＭＩＤＩデータによりＭＩＤＩ音源を自動演奏させてカラオケ演奏のオーディオ信号を生成することから、例えば５分の楽曲であれば、ＭＩＤＩデータをオーディオデータに変換するのに実時間の５分を要するが、上記ＤＡＷソフトウェアにおいては、仮想的にソフトウェア・シンセサイザを高速で駆動する事により、ｆｉｌｅ  ｔｏ  ｆｉｌｅ変換の形でＭＩＤＩデータからオーディオデータを生成することができ、実時間を要しないものである。
【００３４】
上記ストリーミング配信手段２６は、携帯端末１５からの試聴要求に応じて、上記楽曲演奏データをテンポ／キーを変更してレンダリングしたオーディオデータの一部または全部をストリーミング配信するプログラムである。例えば、ストリーミング配信を、オーディオデータの全部を配信して利用者が停止を指示するまで続けてもよく、また、所定の長さの一部だけ送信した後に自動的に停止することとしてもよい。
【００３５】
歌詞データ抽出手段２７は、携帯端末１５より受信した楽曲ＩＤに基づいて、楽曲ＤＢ３０に記憶されているカラオケ楽曲データ中に含まれる歌詞データを抽出するプログラムである。上記リファレンスデータ抽出手段２８は、携帯端末１５より受信した楽曲ＩＤに基づいて、リファレンスデータＤＢ３１に記憶されているリファレンスデータを抽出するプログラムである。
【００３６】
そして、上記オーディオ楽曲データ送信手段２９は、上記楽曲演奏データ変換手段２５でレンダリングしたオーディオデータ、上記歌詞データ抽出手段２７で抽出した歌詞データ及び上記リファレンスデータ抽出手段２８で抽出したリファレンスデータをオーディオ楽曲データとしてネットワーク送受信部２２を介して対応の携帯端末１５に送信するプログラムである。
【００３７】
続いて、カラオケ端末１２は、図３に示すように、主要装置としてのカラオケ本体４１に、有線又は無線で外部接続されるものとして、表示部４２、ミキシングアンプ４３、マイクロホン４４、スピーカ４５が接続される。
【００３８】
上記表示部４２は、予約された楽曲の一覧表示やカラオケ演奏時の少なくとも歌詞データを表示するもので、例えば液晶ディスプレイ（ＬＣＤ）、プラズマディスプレイ（ＰＤＰ）、その他種々のディスプレイを採用することができる。上記ミキシングアンプ４３は、カラオケ本体４１より送られてくる音楽演奏信号に、マイクロホン４４からの音声信号をミキシングし、増幅してスピーカ４５より出力する。
【００３９】
上記カラオケ本体４１は、バス５０、中央制御部５１、ＲＯＭ５２、記憶手段としてのＲＡＭ５３、映像表示制御手段５４、再生手段５５、音声入力手段５６、採点手段５７、送受信部５８、認証手段５９Ａを備えるオーディオ楽曲データ取得手段５９及び歌詞表示制御手段６０を備える。上記ＲＡＭ５３には予約楽曲リスト６１の記憶領域、オーディオ楽曲データ６２の記憶領域が形成され、当該オーディオ楽曲データ６２の記憶領域にはオーディオデータ６２Ａの記憶領域、歌詞データ６２Ｂの記憶領域及びリファレンスデータ６２Ｃの記憶領域が形成される。このように、従前のカラオケ端末（カラオケ装置）のような複数のカラオケ楽曲データを記憶する楽曲ＤＢや楽曲に対応したリファレンスデータを記憶するリファレンスＤＢなどを備えていない。
【００４０】
上記中央制御部５１は、カラオケ端末１２のシステムを統括的に処理制御する物理的なＣＰＵであり、ＲＯＭ５２に記憶されているプログラムに基づくアルゴリズム処理を行う。上記ＲＡＭ５３は、予約楽曲リスト６１、オーディオ楽曲データ６２の記憶領域が形成される他に、上記種々のプログラムを展開、実行させるための作業領域としての役割をなすもので、例えば半導体メモリで構成され、仮想的にハードディスク上に構築される場合をも含む概念である。オーディオ楽曲データ６２（オーディデータ６２Ａ、歌詞データ６２Ｂ、リファレンスデータ６２Ｃ）は、予約楽曲リスト６１中の楽曲ＩＤに紐付けられて記憶される。
【００４１】
上記映像表示制御手段５４は、ＲＡＭ５３に記憶されているオーディオ楽曲データ６２のオーディオデータ６２Ａの楽曲が再生される際に、少なくとも当該楽曲の歌詞データ６２Ｂを表示部４２に出力するプログラム乃至電子回路である。なお、後述するが楽曲ＩＤに映像データが紐付けられてＲＡＭ５３のオーディオ楽曲データ６２に記憶される場合には、当該映像データを歌詞データ６２Ｂと共に表示部４２に出力する。
【００４２】
上記再生手段５５は、ＲＡＭ５３に記憶されているオーディオ楽曲データ６２のオーディオデータ６２Ａを、中央制御部５１の制御により予約楽曲リスト６１に応じて再生して演奏音響信号を生成し、ミキシングアンプ４３にカラオケ演奏として出力してスピーカ４５より放音させるプログラムである。上記音声信号入力手段５６は、マイクロホン４４より歌唱音声信号を入力し、デジタル信号に変換して採点手段５７に供するプログラムである。このように、従前のカラオケ端末（カラオケ装置）のようなリクエストされた楽曲のＭＩＤＩデータに基づいて楽音を生成するＭＩＤＩ音源やシーケンサ機能などを備えていない。
【００４３】
上記採点手段５７は、歌唱音声の音量及び音高を検出して後述の楽曲ごとの主旋律のリファレンスデータの少なくとも音量及び音高（歌唱タイミングを含ませてもよい）と比較することにより採点するもので、音声信号入力部５６でマイクロホン４４から入力されてＡ／Ｄ変換された音声信号を、再生される楽曲（楽曲ＩＤ）におけるＲＡＭ５３のオーディオ楽曲データ６２中に記憶されているリファレンスデータ６２Ｃを読み出して採点処理を行うプログラムである。具体的には、例えば特許第４２２２９１５号公報に記載されている手法を用いることができる。
【００４４】
上記送受信部５８は、携帯端末１５との間で有線方式ないし無線方式（ＩＲ方式やブルートゥース（登録商標）機構のピコネット接続方式など）を利用してデータ授受を行うためのもので、そのための電子回路及びプログラムである。なお、会員の利用者情報をサーバ１１より取得する場合には、通信ネットワーク１３に応じた送受信部を備える。
【００４５】
上記オーディオ楽曲データ取得手段５９は、携帯端末１５との認証処理を行う認証プログラム５９Ａを備えると共に、携帯端末１５の予約楽曲リスト作成アプリケーションソフト７６のカラオケ端末転送プログラム（後述する）からのオーディオ楽曲データの転送要求に対して、当該携帯端末１５より記憶されている予約楽曲リスト及びオーディオ楽曲データを取得し、ＲＡＭ５３に記憶するプログラムである。上記歌詞表示制御手段６０は、楽曲ＩＤで紐付けられたオーディオデータの楽曲演奏の際に、ＲＡＭ５３に記憶された当該楽曲ＩＤの歌詞データを読み出して色替え処理などを行って順次映像表示制御手段５４に出力して表示部４２に表示させるプログラムである。
【００４６】
続いて、携帯端末１５は、図４（Ａ）に示すように、制御部７１、送受信部７２、通信処理部７３、マイク・スピーカ部７４、端末記憶手段である記憶部７５及び端末表示部７９を備える。
【００４７】
上記制御部７１は、当該携帯端末全体を統括的に制御する物理的なＣＰＵであり、図示しないＲＯＭに格納されているプログラムを実行処理して統括的な処理を行う。上記送受信部７２は、図１の端末セル１４に対して無線通信を行う通信方式と整合性をとるための例えば物理的な通信用回路、及び、カラオケ端末１２とデータ授受のための上記通信方式と整合性を取るための例えば物理的な通信用回路により構成される。上記通信処理部７３及びマイク・スピーカ部７４は、従前の携帯電話、スマートホンや携帯タブレットなどに備えられるものであり、また、通話、データ授受のための処理回路などを備えるが説明を省略する。
【００４８】
上記記憶部７５には、図４（Ｂ）で説明する予約楽曲作成アプリケーションソフト７６がインストールされ、当該ソフトにより作成された予約楽曲リスト７７の記憶領域が形成されると共に、サーバ１１より取得したオーディオデータ、歌詞データ及びリファレンスデータを含むオーディオ楽曲データ７８の記憶領域が形成される。上記端末表示部７９は、液晶ディスプレイ（ＬＣＤ）であり、又は、ＬＣＤとタッチセンサとを積層して入出力用として、表示されるアイコン等に対応して当該タッチセンサにより楽曲の選択などのデータを入力することができるＧＵＩのユーザインタフェース機能を有するデバイスである。
【００４９】
上記記憶部７５にインストールされる予約楽曲リスト作成アプリケーションソフト７６は、図４（Ｂ）に示すように、サーバアクセスプログラム８１、テンポ／キー指定プログラム８３を備える楽曲選曲プログラム８２、試聴要求再生プログラム８４、予約楽曲リスト作成プログラム８５、オーディオ楽曲データ取得プログラム８６及び認証プログラム８８を備えるカラオケ端末転送プログラム８７を備える。
【００５０】
上記サーバアクセスプログラム８１は、サーバ１１に対して通信ネットワーク１３を介してアクセスするプログラムである。上記楽曲選曲プログラム８２は、サーバ１１にアクセスして楽曲ＤＢ３０に記憶された楽曲の中から利用者の所望の楽曲を選択するプログラムであり、その際に、テンポ・キー指定プログラム８３が当該楽曲の再生テンポ及び再生キーを当該サーバ１１に対して指定するプログラムである。
【００５１】
上記試聴要求再生プログラム８４は、再生テンポ及び再生キーを指定してサーバ１１でレンダリングされたオーディオデータを試聴するためのストリーミング配信を要求するプログラムである。上記予約楽曲リスト作成プログラム８５は、楽曲選曲プログラム８２で選曲した所定数の楽曲（楽曲ＩＤ）をその楽曲再生テンポ及び楽曲再生キーと共に順次指定したリストとして予約楽曲リスト７７を作成し、記憶部７５に記憶するプログラムである。
【００５２】
上記オーディオ楽曲データ取得プログラム８６は、サーバ１１より送信されてきた楽曲選曲プログラム８３で指定した楽曲のレンダリング（変換）されたオーディオデータと共に、歌詞データ及びリファレンスデータの少なくとも何れかを含むオーディオ楽曲データ７８（この実施形態では歌詞データ及びリファレンスデータの両方を含むものとする）を取得して記憶部７５に記憶するプログラムであって、上記予約楽曲リスト作成プログラム８５で作成した予約楽曲リスト７７で指定された楽曲についてオーディオ楽曲データ７８が記憶部７５に記憶されているか否かを照合し、少なくとも記憶されていない楽曲については、その楽曲ＩＤを楽曲再生テンポ及び楽曲再生キーと共にサーバ１１に指定するプログラムを含み、また、記憶部７５記憶されている楽曲であっても楽曲再生テンポまたは楽曲再生キーが、記憶時の指定と今回の指定とで異なる楽曲については、その楽曲ＩＤを楽曲再生テンポ及び楽曲再生キーと共にサーバ１１に指定するプログラムを含む。
【００５３】
上記カラオケ端末転送プログラム８７は、認証処理を行う認証プログラム８８を備え、カラオケ端末１２に対し、認証プログラム８８により認証処理を行い、認証で認められたときに、記憶部７５に記憶された予約楽曲リスト７７及びオーディオ楽曲データ７８を読み出して転送するプログラムである。認証は、データ授受により行われ、例えば携帯端末１５にインストールされた予約楽曲リスト作成アプリケーションソフト７６のシリアル番号のデータにより認証処理を行わせることができる。
【００５４】
そこで、図５に、携帯端末に対するサーバの楽曲提供のフローチャートを示す。図５において、まず、利用者は、例えばサーバ１１より予めダウンロードして携帯端末１５にインストールしてある予約楽曲リスト作成アプリケーションソフト７６を立ち上げ（ステップ１（Ｓ１））、サーバアクセスプログラム８１によりサーバ１１にアクセスし、楽曲選曲プログラム８２により当該サーバ１１の楽曲検索手段２４に対して所望の楽曲の検索指示信号を送信する（Ｓ２）。
【００５５】
サーバ１１では、楽曲検索手段２４が楽曲ＤＢ３０を検索し、検索した楽曲ＩＤを携帯端末１５に送信する（Ｓ３）。携帯端末１５では楽曲ＩＤを取得し（Ｓ４）、利用者が当該楽曲の試聴を望む場合には（Ｓ５）、試聴要求再生プログラム８４においてテンポ・キー指定プログラム８３により当該楽曲ＩＤの楽曲にテンポ／キーを指定してサーバ１１に対して試聴要求する（Ｓ６）。
【００５６】
サーバ１１では、楽曲演奏データ変換手段２５が、楽曲ＩＤのカラオケ楽曲データを楽曲ＤＢ３０より抽出し、そのうちの楽曲演奏データ（ＭＩＤＩデータ）を指定されたテンポ／キーを変更したオーディオデータにレンダリングし、当該オーディオデータをストリーミング配信手段２６が、例えば所定の長さ（一部）として携帯端末１５に配信する（Ｓ７）。携帯端末１５では、サーバ１１よりストリーミング配信されたオーディオデータを試聴要求再生プログラム８４がマイク・スピーカ部７４より再生する（Ｓ８）。試聴後、再度、テンポ／キーを変更する場合にはＳ６〜Ｓ８を繰り返す。
【００５７】
試聴要求せず（Ｓ５）、又は試聴後に指定したテンポ／キーでよければ予約楽曲リスト作成プログラム８５により作成される予約楽曲リストに、楽曲ＩＤにテンポ／キーを付帯させて登録する（Ｓ９）。所望の楽曲の総てを予約楽曲リストに登録するまでＳ２〜Ｓ９を繰り返して予約楽曲リストの作成を終了して、記憶部７５に予約楽曲リスト７７として記憶する（Ｓ１０）。
【００５８】
そこで、オーディオ楽曲データ取得プログラム８６において、予約楽曲リスト７７中の楽曲（楽曲ＩＤ）と、すでに記憶部７５のオーディオ楽曲データ７８として記憶されている楽曲（楽曲ＩＤ）とを比較し、記憶されていない楽曲、及び、記憶されている楽曲についてテンポ／キーの異なる楽曲（楽曲ＩＤ）を特定し、サーバ１１に対して当該楽曲ＩＤにテンポ／キーを付帯させてオーディオデータ、歌詞データ、リファレンスデータを含むオーディオ楽曲データを要求する（Ｓ１１）。
【００５９】
サーバ１１では、楽曲演奏データ変換手段２５が、要求された楽曲ＩＤ毎に、カラオケ楽曲データを楽曲ＤＢ３０より抽出して演奏楽曲データ（ＭＩＤＩデータ）を指定されたテンポ／キーに基づいてオーディオデータに変換すると共に、当該楽曲のカラオケ楽曲データ中の歌詞データを抽出すると共に、リファレンスＤＢ３１よりリファレンスデータを抽出し、これらオーディオデータ、歌詞データ、リファレンスデータを含むオーディオ楽曲データとして楽曲ＩＤを付帯させて携帯端末１５に送信する（Ｓ１２）。
【００６０】
携帯端末１５では、オーディオ楽曲データ取得プログラム８６がサーバ１１より取得した各オーディオ楽曲データを楽曲ＩＤに付帯させて記憶部７５にオーディオ楽曲データ７８として記憶する（Ｓ１３）。そして、予約楽曲リスト作成アプリケーションソフト７６が終了される。
【００６１】
続いて、図６に、カラオケ端末における楽曲演奏に関するフローチャートを示す。例えば、利用者がカラオケルームに入室する際に受付においてチェックイン手続を行うことで当該カラオケルーム内のカラオケ端末１２が利用可能状態となる。
【００６２】
利用者は、携帯端末１５の予約楽曲リスト作成アプリケーションソフト７６を立ち上げ（Ｓ２１）、カラオケ端末１２に対して、オーディオ楽曲データ転送要求を行う（Ｓ２２）。カラオケ端末１２では、送受信部５８を介してデータ転送要求を受け付け、オーディオ楽曲データ取得手段５９が、認証手段５９Ａにより携帯端末１５に対して認証要求（Ｓ２３）を行う。携帯端末１５では、認証プログラム８８により認証データ（例えばシリアル番号）をカラオケ端末１２に出力することで（Ｓ２４）、当該カラオケ端末１２より認証結果を受信する。
【００６３】
認証の結果が「ＮＧ」であれば（Ｓ２５）、Ｓ２３及びＳ２４が繰り返される。認証の結果が「ＯＫ」であれば（Ｓ２５）、カラオケ端末転送プログラム８７が、記憶部７５に記憶された予約楽曲リスト７７を読み出し、当該予約楽曲リスト７７中の楽曲ＩＤに基づくオーディオ楽曲データ（オーディオデータ、歌詞データ、リファレンスデータ）７８を読み出し、当該予約楽曲リスト７７と共にカラオケ端末１２に転送する(Ｓ２６)。
【００６４】
このように、携帯端末１５（予約楽曲リスト作成アプリケーションソフト７６）とカラオケ端末１２との間で相互に認証処理を行うことにより、携帯端末１２に記憶されたオーディオ楽曲データ等を無暗に他の機器に出力したり、正規の手続きを踏まずに取得したデータをカラオケ端末１２に転送したりする行為を防ぐことができるものである。
【００６５】
カラオケ端末１２では、オーディオ楽曲データ取得手段５９が、ＲＡＭ５３に、予約楽曲リスト６１として一時的に記憶すると共に、オーディオ楽曲データ（オーディオデータ６２Ａ、歌詞データ６２Ｂ、リファレンスデータ６２Ｃ）６２として一時的に記憶する(Ｓ２７)。
【００６６】
なお、利用者は、携帯端末１５上で、上述のように予め予約楽曲リスト７７を作成するのではなく、カラオケルームにチェックインした後に、予約楽曲リスト作成アプリケーションソフト７６の予約楽曲リスト作成プログラム８５により自身の携帯端末１５にダウンロード済みの記憶部７５に記憶されているオーディオ楽曲データ７８の中から歌唱する楽曲を選択して予約楽曲リスト７７を作成し、カラオケ端末転送プログラム８７によりカラオケ端末１２に転送してもよい。転送後は、予約楽曲リスト作成アプリケーションソフト７６は終了される。
【００６７】
そして、カラオケ端末１２では、ＲＡＭ５３に記憶されている予約楽曲リスト６１に従って順次再生される（Ｓ２８）。すなわち、予約楽曲リスト６１に従って、楽曲ＩＤに基づいて、オーディオ楽曲データ６２を読み出し、そのうちオーディオデータ６２Ａは再生手段５５に出力されて演奏され、歌詞データ６２Ｂは歌詞表示制御手段６０に出力されて映像表示制御手段５４を介して表示部４２に表示され、リファレンスデータ６２Ｃは採点手段５７に出力されてマイクロホン４４より音声信号入力手段５６を介して入力された音声信号とリファレンスデータとが比較されて採点される。
【００６８】
利用者によるカラオケ歌唱が終了すると、当該利用者が例えば受付でチェックアウト手続を行うと、当該カラオケ端末１２が利用不可状態とされる前に、ＲＡＭ５３に記憶されている予約楽曲リスト６１及びオーディオ楽曲データ６２は消去されるものである（Ｓ２９）。
【００６９】
次に、図７に、カラオケ端末における楽曲演奏に関する他の実施形態のフローチャートを示す。この実施形態は、カラオケ端末１２を複数の利用者（複数の携帯端末１２）が利用する場合であって、カラオケ端末１２のオーディオ楽曲データ取得手段５９は、リスト統合手段（図示せず）を備える。ここで、各携帯端末１５より予約楽曲リスト及びオーディオ楽曲データをカラオケ端末１２にそれぞれ転送する際にそれぞれの携帯端末１５に対して認証処理を行うものであるが、ここでは省略する。
【００７０】
図７において、まず、それぞれの利用者Ａ、Ｂ、Ｃがカラオケルームに入室する際に例えば受付においてチェックイン手続を行うことで当該カラオケルーム内のカラオケ端末１２が複数利用者により利用可能な状態となる。すなわち、複数利用者からの楽曲の予約を受け付けることが可能な状態となる。
【００７１】
各利用者は、各携帯端末１５の予約楽曲リスト作成アプリケーションソフト７６を立ち上げる（Ｓ３１）。そこで、携帯端末Ａのカラオケ端末転送プログラム８７が、記憶部７５に記憶された予約楽曲リストａ（７７）を読み出し、当該予約楽曲リストａ中の楽曲ＩＤに基づくオーディオ楽曲データ（オーディオデータ、歌詞データ、リファレンスデータ）７８を読み出し、当該予約楽曲リストａと共にカラオケ端末１２に転送する(Ｓ３２)。カラオケ端末１２では、オーディオ楽曲データ取得手段５９が、予約楽曲リストａを保持し、ＲＡＭ５３にオーディオ楽曲データ（オーディオデータ６２Ａ、歌詞データ６２Ｂ、リファレンスデータ６２Ｃ）６２として一時的に記憶する(Ｓ３３)。
【００７２】
続いて、携帯端末Ｂのカラオケ端末転送プログラム８７が、記憶部７５に記憶された予約楽曲リストｂ（７７）を読み出し、当該予約楽曲リストｂ中の楽曲ＩＤに基づくオーディオ楽曲データ（オーディオデータ、歌詞データ、リファレンスデータ）７８を読み出し、当該予約楽曲リストｂと共にカラオケ端末１２に転送する(Ｓ３４)。カラオケ端末１２では、オーディオ楽曲データ取得手段５９が、予約楽曲リストｂを保持し、ＲＡＭ５３にオーディオ楽曲データ（オーディオデータ６２Ａ、歌詞データ６２Ｂ、リファレンスデータ６２Ｃ）６２として一時的に記憶する(Ｓ３５)。
【００７３】
続いて、携帯端末Ｃのカラオケ端末転送プログラム８７が、記憶部７５に記憶された予約楽曲リストｃ（７７）を読み出し、当該予約楽曲リストｃ中の楽曲ＩＤに基づくオーディオ楽曲データ（オーディオデータ、歌詞データ、リファレンスデータ）７８を読み出し、当該予約楽曲リストｃと共にカラオケ端末１２に転送する(Ｓ３６)。カラオケ端末１２では、オーディオ楽曲データ取得手段５９が、予約楽曲リストｃを保持し、ＲＡＭ５３にオーディオ楽曲データ（オーディオデータ６２Ａ、歌詞データ６２Ｂ、リファレンスデータ６２Ｃ）６２として一時的に記憶する(Ｓ３７)。そして、各携帯端末１５において、予約楽曲リスト及びオーディオ楽曲データの転送後に、予約楽曲リスト作成アプリケーションソフト７６が終了される。
【００７４】
そこで、カラオケ端末１２のオーディオ楽曲データ取得手段５９において、保持した予約楽曲リストａ、ｂ、ｃを統合して予約楽曲リストを作成し、統合予約楽曲リスト６１としてＲＡＭ５３に記憶する(Ｓ３８)。この後の再生については図６のＳ２９以降と同様である。これによりグループ利用者がカラオケ歌唱を楽しむことができるものである。なお、オーディオ楽曲データ取得手段５９において統合予約楽曲リスト６１を作成する際、同一テンポ／キーが指定された同一の楽曲ＩＤが複数存在した場合には、例えば最初に転送されたものをリストに残して他は削除するようにしてもよい。これにより同じ楽曲が何度も再生されることを防ぎ、限られた時間で有効にカラオケルームを利用することができる。
【００７５】
次に、図８にサーバにおける楽曲提供に関する他の実施形態の一部ブロック構成図を示すと共に、図９に図８の楽曲提供に関するフローチャートを示す。この実施形態は、サーバ１１の備える楽曲ＤＢ３０及びリファレンスＤＢ３１に定期的にカラオケ楽曲データ及びリファレンスデータが追加されることに対処したものである。
【００７６】
図８において、楽曲演奏データ変換手段２５は、複数の変換部、例えば第１変換部２５Ａ、第２変換部２５Ｂ・・・を備える。当該第１変換部２５Ａ、第２変換部２５Ｂ等は、追加される楽曲（楽曲ＩＤ）の楽曲演奏データ（ＭＩＤＩデータ）の作成時期に応じた最適変換機能を備えるもので、これらの楽曲ＩＤには楽曲演奏データ変換手段２５の備える複数の第１変換部２５Ａ、第２変換部２５Ｂ等の情報が紐付けられる。
【００７７】
例えば、第１変換部２５Ａの使用開始は２０１０年４月１日であり、第２変換部２５Ｂ（第１変換部２５Ａより、より高性能の（つまり高品質なオーディオデータを生成可能な））の使用開始は２０１５年４月１日であるとする。ここで、２０１５年３月３１日以前に第１変換部２５Ａに合わせて制作された楽曲演奏データ（ＭＩＤＩデータ）の楽曲ＩＤは、レンダリングの際に当該第１変換部２５Ａを用いるという情報と紐付けされ、２０１５年４月１日以後に第２変換部２５Ｂに合わせて制作された曲演奏データ（ＭＩＤＩデータ）の楽曲ＩＤは、レンダリングの際に変換手段Ｂを用いるという情報と紐付けされるものである。
【００７８】
そして、サーバ１１では、楽曲ＩＤの変換情報に応じた変換手段（第１変換部２５Ａ、第２変換部２５Ｂ・・・）により、指定されたキー／テンポに応じて楽曲演奏データ（ＭＩＤＩデータ）をオーディオデータにレンダリングする。
【００７９】
すなわち、図９において、所定の携帯端末１５からの楽曲ＩＤに基づくオーディオ楽曲データの要求を取得すると（Ｓ４１）、楽曲演奏データ変換手段２５は、要求されたオーディオ楽曲データの楽曲ＩＤに紐付けられた変換情報より対応の変換部（例えば第２変換部２５Ｂ）を特定する（Ｓ４２）。
【００８０】
そして、要求された楽曲ＩＤのカラオケ楽曲データ中の楽曲演奏データ（ＭＩＤＩデータ）を楽曲ＤＢ３０より抽出し、特定した変換部（第２変換部２５Ｂ）によりオーディオデータに変換するものである（Ｓ４３）。
【００８１】
すなわち、より高性能のＭＩＤＩ音源に相当するような新しい変換手段が利用可能になった場合、旧変換手段に合わせて制作されたＭＩＤＩデータを新変換手段用に制作し直す必要がなく、従来の業務用通信カラオケシステムのカラオケ端末のようにＭＩＤＩ音源の互換性に縛られることなく、利用者がダウンロードするオーディオデータの品質を常に向上させることができる。また、異なる変換手段に合わせて制作されたＭＩＤＩデータであっても、一旦オーディオデータにレンダリングされた後は扱い方を区別する必要がなくなるので、携帯端末やカラオケ端末においては、それらを全く同じように扱うことができる。
【００８２】
このように、カラオケ端末１２にカラオケ楽曲データを一斉に配信したり個別に蓄積したりせずに済み、カラオケシステム全体のカラオケ楽曲のデータ蓄積コスト及び通信コストを大幅に下げることができると共に、キー／テンポを変更してもオーディオデータのカラオケ演奏音の品質を低下させることなく、カラオケ端末１２におけるカラオケ用の楽曲演奏データを再生する音源等を搭載させるコストを削減させることができ、ひいては低コスト化を実現することができるものである。
【００８３】
ところで、上記実施形態に限らず、利用者においてカラオケ歌唱したい楽曲を選択する際に、楽曲ごとに再生テンポ及び再生キーを指定するだけでなく、ガイドボーカルやガイドメロディ、コーラス歌唱の有無を指定してもよい。これにより、利用者本人のカラオケ歌唱のスタイルによりマッチしたオーディオデータをダウンロードすることができる。
【００８４】
また、サーバ１１において、カラオケ演奏に合わせて表示するための背景映像データを記憶し、レンダリングしたオーディオ楽曲データと組合せて動画データとした後に携帯端末１５に送信してもよい。これにより、従来の通信カラオケシステムと同様に、背景映像を表示させながらカラオケ歌唱を楽しむことができる。
【００８５】
また、カラオケ端末１２でのカラオケ楽曲データの演奏と同期して、利用者の携帯端末１５の端末表示部（ディスプレイ）７９に歌詞を表示させてもよい。カラオケ端末１２でのカラオケ演奏と携帯端末１５での歌詞表示の同期については、例えば、カラオケ演奏開始信号をカラオケ端末１２から携帯端末１５に送り、携帯端末１５ではテンポ情報と歌詞データに基づいて歌詞を表示させるものである。これにより、従来の通信カラオケシステムにおけるリモコン装置のように、携帯端末１５に歌詞を表示させながらカラオケ歌唱することができる。
【００８６】
また、利用者において、予めダウンロードして携帯端末１５にインストールしてある「カラオケ演奏アプリケーションソフト」を立ち上げて、携帯端末単独でカラオケ演奏させてもよい。この場合、携帯端末１５の端末表示部７９を用いて歌詞を表示させ、歌唱を採点させることも可能である。これにより、自宅などどこでもカラオケ歌唱を楽しんだり練習したりすることができる。加えて、利用者にカラオケ楽曲データをダウンロードし記憶させて所有させることにより、携帯端末１５をプラットフォームとしたホームカラオケからカラオケルームなどの業務用通信カラオケへと、利用者をスムーズに誘導することができる。
【００８７】
また、利用者によるサーバ１１からのカラオケ楽曲データ（オーディオデータだけでもよい）のダウンロードを有償とし、利用者から課金するような仕組みを設けてもよい。課金は期間定額制でも従量制（ダウンロード毎に課金）でもよい。この場合、利用者の携帯端末１５にダウンロードされたカラオケ楽曲データの記憶に期限を設け、期限が過ぎたカラオケ楽曲データは消去あるいは使用不能とされるようにしてもよい。サーバ１１では、利用者ごとにカラオケ楽曲データのダウンロード情報や記憶期限情報を管理し、利用者の要求に基づいて、利用者が携帯端末１５に保持しているカラオケ楽曲データの記憶期限の更新や指定されたキー／テンポの変更などの要求に、有償あるいは無償で対応してもよい。これにより、カラオケ楽曲データを携帯端末１５に所有している利用者をカラオケルーム（カラオケ端末）において優遇するなど、きめ細かい施策やサービスが可能となる。
【００８８】
また、異なる事業者が運営する複数のサーバ１１を共存させ、携帯端末１５がそれら複数のサーバ１１とアクセス可能なシステムとしてもよい。それぞれのサーバ１１には、カラオケ楽曲データとして楽曲演奏データ（ＭＩＤＩデータ）を記憶し、それらをレンダリングするための変換手段を備えさせればよい。この場合、複数の事業者のサーバ１１に通じるポータルサイトを楽曲検索サイトとして設けてもよい。これにより、特定機種のカラオケ端末１２で使用できるオーディオデータを複数の事業者が配信できることになり、利用者の選択肢が増え満足度を向上させることができると共に、競争原理が働き市場が活性化することを期待できるものである。
【産業上の利用可能性】
【００８９】
本発明のカラオケシステム及び携帯端末に備えられるカラオケ用プログラムは、カラオケ用サーバ、カラオケ端末の製造、販売、使用、並びに、ソフトウェアの作成、販売、使用の産業に利用可能である。
【符号の説明】
【００９０】
１１            サーバ
１２            カラオケ端末
１５            携帯端末
２４            楽曲検索手段
２５            楽曲演奏データ変換手段
２５Ａ          第１変換部
２５Ｂ          第２変換部
２６            ストリーミング配信手段
２７            歌詞データ抽出手段
２８            リファレンスデータ抽出手段
２９            オーディオ楽曲データ送信手段
３０            楽曲データベース（楽曲ＤＢ）
３１            リファレンスデータベース（リファレンスＤＢ）
４１            カラオケ本体
５５            再生手段
５７            採点手段
５９            オーディオ楽曲データ取得手段
６１            予約楽曲リスト
６２            オーディオ楽曲データ
６２Ａ          オーディオデータ
６２Ｂ          歌詞データ
６２Ｃ          リファレンスデータ
７５            記憶部
７６            予約楽曲リスト作成アプリケーションソフト
７７            予約楽曲リスト
７８            オーディオ楽曲データ
８１            サーバアクセスプログラム
８２            楽曲選曲プログラム
８３            テンポ・キー指定プログラム
８４            試聴要求再生プログラム
８５            予約楽曲リスト作成プログラム
８６            オーディオ楽曲データ取得プログラム
８７            カラオケ端末転送プログラム
８８            認証プログラム
【図１】
0006628579.tif 000002
【図２】
0006628579.tif 000003
【図３】
0006628579.tif 000004
【図４】
0006628579.tif 000005
【図５】
0006628579.tif 000006
【図６】
0006628579.tif 000007
【図７】
0006628579.tif 000008
【図８】
0006628579.tif 000009
【図９】
0006628579.tif 000010